(57)【要約】【課題】画像データの取得後に操作者が行う処理を軽減することのできるＸ線画像診断装置を提供する。【解決手段】本発明に係るＸ線画像診断装置１０は、画像データを取得し、画像データを外部記憶媒体３０に記憶させるＸ線画像診断装置１０であって、外部記憶媒体３０固有の識別番号を取得する記憶媒体認識部５４と、画像データを識別する情報を記憶する記憶部５２と、外部記憶媒体３０固有の識別番号及び画像データを識別する情報に基づいて、画像データを記憶させる外部記憶媒体３０を決定し、その外部記憶媒体に画像データを記憶させる記憶媒体割り当て部５５と、を具備することを特徴とする。【選択図】図３
2014014475.tif 000002
【特許請求の範囲】
【請求項１】
画像データを取得し、前記画像データを外部記憶媒体に記憶させるＸ線画像診断装置であって、
前記外部記憶媒体固有の識別番号を取得する記憶媒体認識部と、
前記画像データを識別する情報を記憶する記憶部と、
前記外部記憶媒体固有の識別番号及び前記画像データを識別する情報に基づいて、前記画像データを記憶させる前記外部記憶媒体を決定し、その外部記憶媒体に前記画像データを記憶させる記憶媒体割り当て部と、
を具備することを特徴とするＸ線画像診断装置。
【請求項２】
前記記憶部は、前記画像データを識別する情報として、前記画像データを取得する場所を記憶し、
前記記憶媒体割り当て部は、前記画像データを取得する場所に基づいて、前記画像データを記憶させる前記外部記憶媒体を決定することを特徴とする請求項１に記載のＸ線画像診断装置。
【請求項３】
前記記憶部は、前記画像データを識別する情報として、前記画像データが取得される被検者の被検者リストを記憶し、
前記記憶媒体割り当て部は、前記被検者リストに基づいて、前記画像データを記憶させる前記外部記憶媒体を決定することを特徴とする請求項１に記載のＸ線画像診断装置。
【請求項４】
前記記憶媒体割り当て部は、前記被検者リストに基づいて、前記被検者ごとに前記画像データを記憶させることを特徴とする請求項３に記載のＸ線画像診断装置。
【請求項５】
前記記憶部が記憶する前記被検者リストに含まれる被検者の画像データが取得されていない場合には、操作者に前記被検者の画像データが取得されていない旨を通知する通知手段を具備することを特徴とする請求項３又は請求項４に記載のＸ線画像診断装置。
【請求項６】
前記画像データを取得する時間が所定の時間以上空いた場合には、前記記憶媒体割り当て部は、前記画像データを記憶させる前記外部記憶媒体を変更することを特徴とする請求項１乃至請求項５のいずれかに記載のＸ線画像診断装置。
【発明の詳細な説明】
【技術分野】
【０００１】
本発明は、Ｘ線画像診断装置に関し、特に画像データの取得後に操作者が行う処理を軽減することのできるＸ線画像診断装置に関する。
【背景技術】
【０００２】
従来から、Ｘ線撮影装置をバスシャシーに搭載したレントゲン検診車が知られている。レントゲン検診車において、医用画像はＸ線フィルム等に焼き込まれて、フィルムの形で保管されることが多かった。
【０００３】
近年、ＣＲ(Computed Radiography)装置やＦＰＤ(Flat Panel Display)と共に、画像データを保存する画像処理装置をレントゲン検診車に搭載し、画像をデジタル化して保存する形態へと変化しつつある。
【０００４】
大量の医用画像を取り扱う病院では、病院内のネットワーク化によりモダリティ装置（撮影装置）で取得した医用画像データを、ＬＡＮ(Local Area Network)等を用いて画像サーバ装置へ転送し、保存している。
【０００５】
しかし、各地の事業所等を巡回するレントゲン検診車の場合、物理的にネットワークを構築できない環境で検診（Ｘ線撮影）を行うのが普通である。
【０００６】
レントゲン検診車に搭載されたモダリティ装置では、その中に医用画像データをデジタルデータとして保存し、操作者が患者のリストを確認、選択して情報記録メディアに保存していた。
【０００７】
そして、検診が終了した後に、情報記録メディアを基地となる検診施設等へ持ち帰り、画像サーバ装置にセットして、情報記録メディアに記録されている医用画像データを読み出し、それを画像サーバ装置に保存するという方法を採っていた。
【０００８】
また、多くの施設をレントゲン検診車で巡回して検診した場合には、各々の施設向けに情報記録メディアを作成していた。
【０００９】
このため、特許文献１では、情報記録メディアを用いず、ＤＩＣＯＭ(Digital
Imaging and COmmunication in Medicine)規格でデジタルデータをレントゲン検診車内のノートパソコンに保存するようにしていた。
【先行技術文献】
【特許文献】
【００１０】
【特許文献１】特許第４６９５２７４号公報
【発明の概要】
【発明が解決しようとする課題】
【００１１】
検診施設などでは出来るだけ操作者による負担を減らし、画像データ取得後の後処理など、画像データ取得後の操作を軽減することができるＸ線画像診断装置が求められている。
【００１２】
しかし、従来のＸ線画像診断装置では、各々の施設向けの情報記録メディアへ自動で任意の医用画像データを保存することが出来なかった。
【００１３】
本発明は、上記の問題点に鑑みてなされたものであり、画像データの取得後に操作者が行う処理を軽減することのできるＸ線画像診断装置を提供することを目的とする。
【課題を解決するための手段】
【００１４】
前述した目的を達成するために本発明は、画像データを取得し、前記画像データを外部記憶媒体に記憶させるＸ線画像診断装置であって、前記外部記憶媒体固有の識別番号を取得する記憶媒体認識部と、前記画像データを識別する情報を記憶する記憶部と、前記外部記憶媒体固有の識別番号及び前記画像データを識別する情報に基づいて、前記画像データを記憶させる前記外部記憶媒体を決定し、その外部記憶媒体に前記画像データを記憶させる記憶媒体割り当て部と、を具備することを特徴とするＸ線画像診断装置である。
【発明の効果】
【００１５】
本発明によれば、画像データの取得後に操作者が行う処理を軽減することのできるＸ線画像診断装置を提供することができる。
【図面の簡単な説明】
【００１６】
【図１】本発明に係るＸ線画像診断装置を備えたＸ線撮影装置の構成例を示す図
【図２】Ｘ線画像診断装置の構成例を示すブロック図
【図３】Ｘ線画像診断装置に作成される画像保存管理テーブルの例を示す図
【図４】画像保存管理テーブルに外部記憶手段固有の識別番号及び被検者リストを登録する際の手順を示すフローチャート
【図５】Ｘ線撮影装置でＸ線画像の画像データを取得する際の手順を示すフローチャート
【発明を実施するための形態】
【００１７】
以下図面に基づいて、本発明の実施の形態を詳細に説明する。
【００１８】
図１は、本発明に係るＸ線画像診断装置１０を備えたＸ線撮影装置１の構成例を示す図である。図１に示すＸ線画像診断装置１０は、Ｘ線画像の画像データを取得するＸ線撮影装置１に備えられている。Ｘ線撮影装置１は、例えば、レントゲン検診車のバスシャシーに搭載される。
【００１９】
Ｘ線撮影装置１は、Ｘ線画像診断装置１０、入力部１２、表示部１４、撮像部２０、外部記憶媒体３０等を備えている。なお、Ｘ線画像診断装置１０の構成については後述するが、撮像部２０が取得した画像データに対して画像処理を行ったり、その画像データを一時的に記憶するなどの処理を行う。
【００２０】
入力部１２は、例えば、キーボード、マウス等の入力装置であり、操作者が入力した指示や情報をＸ線画像診断装置１０に出力する。表示部１４は、例えば液晶ディスプレイ等の表示装置であり、Ｘ線画像処理装置１０から出力された画像データをＸ線画像として表示する。なお、入力部１２と表示部１４は、タッチパネル式ディスプレイとして一体化されていてもよい。
【００２１】
撮像部２０は、Ｘ線検出器２１、撮像制御部２２、高電圧発生部２３、Ｘ線源２４、絞り部２５、スイッチ２６等を備えている。撮像制御部２２は、操作者が入力部１２からＸ線画像診断装置１０に入力した撮像条件（Ｘ線管の管電圧、管電流、曝照量（ｍＡｓ）、曝照時間（ｍｓｅｃ））などを高電圧発生部２３に出力する。高電圧発生部２３は、撮像制御部２２から出力された撮像条件に基づいて、高電圧の電流をＸ線源２４に供給する。
【００２２】
Ｘ線源２４は、高電圧発生部２３から供給された電流によってＸ線を発生し、被検体（ここでは、患者である被検者）１００に照射する。絞り部２５は、例えば、複数の鉛板を備え、被検体１００に曝射されるＸ線の照射領域を決定する。
【００２３】
Ｘ線検出器２１は、Ｘ線源２４から曝射され、被検体１００を透過したＸ線を検出し、Ｘ線画像の画像データとしてＸ線画像診断装置１０に出力する。スイッチ２６は、撮像の開始と終了を指示するためのものであり、操作者がスイッチ２６を操作することにより、予め設定された撮像条件で撮像を行う。また、スイッチ２６は、Ｘ線画像診断装置１０におけるＸ線画像の画像データの記録開始のスイッチを兼ねている。
【００２４】
外部記憶媒体３０は、例えば、ＵＳＢ(Universal Serial Bus)メモリやＤＶＤ−ＲＡＭ(Digital Versatile Disc-Random Access memory)であり、Ｘ線画像診断装置１０に一時的に記憶されたＸ画像の画像データを恒久的に記憶する。すなわち、Ｘ線画像診断装置１０は、撮像部２０から取得したＸ線画像の画像データを外部記憶媒体３０に記憶させる。なお、外部記憶媒体３０がＤＶＤ−ＲＡＭである場合には、Ｘ線画像診断装置１０にＤＶＤドライブ等が設けられる。
【００２５】
図２は、Ｘ線画像診断装置１０の構成例を示すブロック図である。本発明に係るＸ線画像診断装置１０は、制御部５１、記憶部５２、被検者ＩＤ識別部５３、記憶媒体認識部５４、記憶媒体割り当て部５５等を備えている。
【００２６】
制御部５１は、ＣＰＵ(Central Processing Unit）、ＲＯＭ(Read Only Memory)、ＲＡＭ(Random Access Memory)等により構成され、撮像部２０から取得したＸ線画像の画像データの画像処理を行うほか、Ｘ線画像診断装置１０全体を制御する。また、制御部５１は、撮像部２０に撮像条件等を出力する。
【００２７】
記憶部５２は、例えば、ＨＤＤ（ハードディスクドライブ）から構成され、制御部５１が実行するプログラム、プログラム実行に必要なデータ、ＯＳ（オペレーティングシステム）等を記憶している。また、記憶部５２は、制御部５１によって画像処理されたＸ線画像の画像データを一時的に記憶したり、画像データを識別する情報として、Ｘ線画像の画像データを取得する場所やＸ線画像の画像データが取得される被検者の被検者リストを記憶する。
【００２８】
被検者ＩＤ識別部５３は、入力部１２から患者である被検者の被検者ＩＤ（識別番号）が入力されると、被検者ＩＤを識別し、制御部５１に出力する。なお、被検者ＩＤとは、被検者の患者ＩＤや受診番号等である。
【００２９】
記憶媒体認識部５４は、Ｘ線画像診断装置１０に接続された外部記憶媒体３０固有の識別番号を取得する。なお、外部記憶媒体３０固有の識別番号とは、ベンダＩＤ（以下、ＶＩＤという）、プロダクトＩＤ（以下、ＰＩＤという）、デバイスリリース番号（シリアル番号）等の外部記憶媒体３０を個別に識別できる番号である。
【００３０】
記憶媒体割り当て部５５は、記憶媒体認識部５４が取得した外部記憶媒体３０固有の識別番号及び画像データを識別する情報に基づいて、記憶部５２に記憶されたＸ線画像の画像データを記憶させる外部記憶媒体３０を決定し、その外部記憶媒体３０にＸ線画像の画像データを記憶させる。また、後述するように、記憶媒体割り当て部５５は、画像データを識別する情報として、Ｘ線画像の画像データを取得する場所や、Ｘ線画像の画像データが取得される被検者の被検者リストに基づいて、Ｘ線画像の画像データを記憶させる外部記憶媒体３０を決定する。
【００３１】
図３は、Ｘ線画像診断装置１０に作成される画像保存管理テーブルの例を示す図である。図３に示す画像保存管理テーブルには、記憶媒体認識部５４が取得した外部記憶媒体３０固有の識別番号（ＶＩＤ、ＰＩＤ、デバイスリリース番号）等が登録される。
【００３２】
図３に示す画像保存管理テーブルには、外部記憶媒体３０の登録番号、ＶＩＤ、ＰＩＤ、デバイスリリース番号、外部記憶媒体３０の種類、使用可否、被検者リストが登録されている。ＶＩＤ、ＰＩＤ、デバイスリリース番号は、記憶媒体認識部５４が取得した外部記憶媒体３０固有の識別番号である。
【００３３】
外部記憶媒体３０の種類は、ＵＳＢメモリやＤＶＤ−ＲＡＭ等があるが、図３の例では、ＵＳＢメモリのみを示している。また、使用の可否は、その外部記憶媒体３０が使用できるかどうかを示すものである。図３の例のように、外部記憶媒体３０固有の識別番号と共に使用の可否を登録することで、識別番号が登録されていない外部記憶媒体３０を使用不可とすることができ、セキュリティを向上させることが可能となる。
【００３４】
被検者リストは、Ｘ線画像診断装置１０に接続される外部記憶媒体３０ごとに記憶されており、例えば、Ｘ線画像診断装置１０の記憶部５２に読み込まれて画像保存管理テーブルに登録される。被検者リストには、例えば、Ｘ線画像の画像データが取得される複数の被検者の被検者ＩＤや氏名等が含まれる。なお、被検者リストは、実際にＸ線画像の画像データを記憶させる外部記憶媒体３０以外の記憶媒体等から読み込んでもよい。また、被検者リストは、Ｘ線画像診断装置１０の記憶部５２に記憶される。
【００３５】
図４は、画像保存管理テーブルに外部記憶手段３０固有の識別番号及び被検者リストを登録する際の手順を示すフローチャートである。
【００３６】
まず、画像保存管理テーブルへの登録処理が開始されると、操作者によってＸ線画像診断装置１０に外部記憶媒体３０が接続される（Ｓ１０１）。なお、Ｘ線画像診断装置１０に接続する外部記憶媒体３０は、１つでも複数であってもよい。
【００３７】
次に、記憶媒体認識部５４は、外部記憶媒体３０固有の識別番号を取得する（Ｓ１０２）。ここで、外部記憶媒体３０固有の識別番号とは、上述のＶＩＤ、ＰＩＤ、デバイスリリース番号等である。なお、Ｓ１０２において、外部記憶媒体３０の使用を不可とする場合には、操作者が入力部１２からその設定を行い、画像保存管理テーブルへ登録するようにしてもよい。
【００３８】
そして、Ｘ線画像診断装置１０の記憶部５２は、外部記憶媒体３０から画像データを識別する情報として被検者リストを読み込む（Ｓ１０３）。
【００３９】
それから、制御部５１は、画像保存管理テーブルに外部記憶手段３０固有の識別番号及び被検者リストを登録する（Ｓ１０４）。
【００４０】
そして、複数の外部記憶媒体３０が接続されている場合には、複数の外部記憶媒体３０固有の識別番号及び被検者リストを続けて登録するかどうかを判断し（Ｓ１０５）、続けて登録する場合には（Ｓ１０５のＹＥＳ）、Ｓ１０２からＳ１０４の処理を繰り返す。続けて登録しない場合には（Ｓ１０５のＮＯ）、処理を終了する。
【００４１】
図５は、Ｘ線撮影装置１でＸ線画像の画像データを取得する際の手順を示すフローチャートである。
【００４２】
まず、Ｘ線画像の画像データ取得処理が開始されると、操作者が入力部１２からＸ線画像の画像データが取得される被検者の被検者ＩＤを入力する（Ｓ２０１）。入力された被検者ＩＤは、被検者ＩＤ識別部５３によって識別され、制御部５１に出力される。なお、Ｓ２０１において、画像データを識別する情報として、Ｘ線画像の画像データを取得する場所を入力し、記憶部５２に記憶させるようにしてもよい。ここで、Ｘ線画像の画像データを取得する場所とは、例えば、検診（Ｘ線撮影）が行われる施設や事業所の名称等である。
【００４３】
次に、操作者によってスイッチ２６がＯＮにされ、被検者にＸ線が曝射される（Ｓ２０２）。そして、Ｘ線画像診断装置１０の制御部５１は、撮像部２０から被検者のＸ線画像の画像データを取得する（Ｓ２０３）。
【００４４】
それから、Ｘ線画像診断装置１０の記憶媒体割り当て部５５は、画像保存管理テーブルを参照し（Ｓ２０４）、Ｘ線画像の画像データを記憶させる外部記憶媒体３０を決定する（Ｓ２０５）。
【００４５】
Ｓ２０５において、記憶媒体割り当て部５５は、図４のＳ１０２で記憶媒体認識部５４が取得した外部記憶媒体３０固有の識別番号（ＶＩＤ、ＰＩＤ、デバイスリリース番号等）及び画像データを識別する情報に基づいて、Ｘ線画像の画像データを記憶させる外部記憶媒体３０を決定する。
【００４６】
例えば、記憶媒体割り当て部５５は、予め指定された外部記憶媒体３０のＶＩＤ、ＰＩＤ、デバイスリリース番号を記憶部５２から読み込み、その外部記憶媒体３０にＸ線画像の画像データを記憶させるようにしてもよい。
【００４７】
また、記憶媒体割り当て部５５は、図３の画像保存管理テーブルに示す被検者リストに基づいて、Ｘ線画像の画像データを記憶させる外部記憶媒体３０を決定するようにしてもよい。図３に示すように、被検者リストは外部記憶媒体３０固有の識別番号に対応して記憶されているため、Ｘ線画像の画像データが取得された被検者が含まれる被検者リストに対応する外部記憶媒体３０に、Ｘ線画像の画像データが記憶される。なお、このとき、記憶媒体割り当て部５５は、Ｓ２０１で入力された被検者ＩＤを参照するようにしてもよい。また、このとき、記憶させる外部記憶媒体３０が画像保存管理テーブルに無い場合には、Ｘ線画像診断装置１０の記憶部５２にＸ線画像の画像データを記憶させるようにしてもよい。
【００４８】
また、被検者リストに基づいて、Ｘ線画像の画像データを記憶させる外部記憶媒体３０を決定する場合には、被検者リストに含まれる被検者ごとにＸ線画像の画像データを記憶させるのが望ましい。このとき、記憶媒体割り当て部５５は、Ｓ２０１で入力された被検者ＩＤを参照する。これにより、被検者リストに含まれる被検者ごとにＸ線画像の画像データを記憶させることが可能となる。
【００４９】
また、Ｓ２０１において、画像データを識別する情報として、Ｘ線画像の画像データを取得する場所を入力した場合には、記憶媒体割り当て部５５は、Ｘ線画像の画像データを取得する場所に基づいて、Ｘ線画像の画像データを記憶させる外部記憶媒体３０を決定してもよい。このとき、記憶部５２にＸ線画像の画像データを取得する場所と外部記憶媒体３０固有の識別番号を対応付けて記憶させておき、Ｘ線画像の画像データを取得する場所に対応する外部記憶媒体３０にＸ線画像の画像データを記憶させるようにしてもよい。
【００５０】
また、Ｘ線画像を取得する時間が所定の時間（例えば、３時間）以上空いた場合には、記憶媒体割り当て部５５は、Ｘ線画像の画像データを記憶させる外部記憶媒体３０を変更するようにしてもよい。これは、Ｘ線画像を取得する時間が長時間空いた場合には、Ｘ線画像を取得する場所（施設等）が変わっている可能性が高く、別の外部記憶媒体３０にＸ線画像の画像データを記憶させた方がよいと考えられるからである。
【００５１】
図５のフローチャートに戻り、Ｓ２０５でＸ線画像の画像データを記憶させる外部記憶媒体３０が決定されると、記憶媒体割り当て部５５は、その外部記憶媒体３０にＸ線画像の画像データを記憶させる（Ｓ２０６）。このとき、上述のように、外部記憶媒体３０固有の識別番号等に基づいて、Ｘ線画像の画像データを記憶させる外部記憶媒体３０が決定されているため、操作者がＸ線画像の画像データを選択して外部記憶媒体３０に保存操作する必要がなく、画像データの取得後、自動的に外部記憶媒体３０にＸ線画像の画像データを記憶させることができる。
【００５２】
なお、Ｓ２０６で外部記憶媒体３０にＸ線画像の画像データを記憶させる前に、記憶部５２が記憶する被検者リストに含まれる被検者の画像データが取得されていない場合は、その被検者の画像データが取得されていない旨を通知するようにしてもよい。このとき、例えば、制御部５１が、記憶部５２に一時的に記憶された被検者の画像データと被検者リストを比較し、画像データが取得されていない被検者を特定して、表示部１４に表示させる。これにより、被検者リストに含まれる被検者の画像データの取得漏れを防止することができる。なお、このとき、記憶部５２に一時的に記憶された複数の被検者の画像データを、外部記憶媒体３０に一括転送するようにしてもよい。
【００５３】
また、Ｓ２０６でＸ線画像の画像データが記憶された外部記憶媒体３０を、病院等の検診施設の画像サーバ装置に接続して、自動的にＸ線画像の画像データを読み込ませるようにしてもよい。このとき、外部記憶媒体３０に、被検者ごとにＸ線画像の画像データが記憶されている場合には、検診施設の画像サーバ装置に、被検者ごとにＸ線画像の画像データを自動的に記憶させることができる。
【００５４】
以上のように、本発明に係るＸ線画像診断装置１０によれば、外部記憶媒体３０固有の識別番号及び画像データを識別する情報に基づいて、Ｘ線画像の画像データを記憶させる外部記憶媒体３０が決定されているため、操作者がＸ線画像の画像データを選択して外部記憶媒体３０に保存操作する必要がなく、画像データの取得後、自動的に外部記憶媒体３０にＸ線画像の画像データを記憶させることができる。このため、画像データの取得後に操作者が行う処理を軽減することが可能となる。
【００５５】
なお、上記の実施の形態では、ＵＳＢメモリのベンダＩＤ（ＶＩＤ）、プロダクトＩＤ（ＰＩＤ）、デバイスリリース番号（シリアル番号）を外部記憶媒体３０固有の識別番号として用いる例を説明したが、外部記憶媒体３０固有の識別番号を利用するものであればＵＳＢメモリに限らず、ＤＶＤ−ＲＡＭやＨＤＤ等であってもよく、外部記憶媒体３０が変更されても本発明を同様に適用することができる。
【００５６】
以上、添付図面を参照しながら、本発明に係るＸ線画像診断装置の好適な実施の形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５７】
１…………Ｘ線撮影装置
１０………Ｘ線画像診断装置
１２………入力部
１４………表示部
２０………撮像部
２１………Ｘ線検出器
２２………撮像制御部
２３………高電圧発生部
２４………Ｘ線源
２５………絞り部
２６………スイッチ
３０………外部記憶媒体
５１………制御部
５２………記憶部
５３………被検者ＩＤ識別部
５４………記憶媒体認識部
５５………記憶媒体割り当て部
【図１】
2014014475.tif 000003
【図２】
2014014475.tif 000004
【図３】
2014014475.tif 000005
【図４】
2014014475.tif 000006
【図５】
2014014475.tif 000007